(57)【要約】【課題】乾式不織布の長所を生かすと共に、その構成繊維に炭粉末を、炭のマクロポアを閉塞することなく固着して、炭のミネラル成分を徐々に溶出可能にして、長期間使用可能な浴用タオルを提供すること。【解決手段】見掛け密度０．０２〜０．１ｇ／ｃｍ３  の乾式不織布からなる浴用タオルであって、その構成繊維に、多数の微細孔を有する合成樹脂で以て炭粉末を固着して成り、炭粉末の割合を、重量比で、合成樹脂１００部に対して５〜１００部の範囲好ましくは４０〜１００部の範囲に調整して成る。【選択図】  図２
2004148029.tif 000002
【特許請求の範囲】
【請求項１】
見掛け密度０．０２〜０．１０ｇ／ｃｍ３  の乾式不織布からなる浴用タオルであって、その構成繊維に、多数の微細孔を具えた合成樹脂で以て炭粉末を固着したことを特徴とする浴用タオル。
【請求項２】
炭粉末の割合が、重量比で、合成樹脂１００部に対して５〜１００部の範囲である請求項１に記載の浴用タオル。
【請求項３】
乾式不織布における炭粉末と合成樹脂の割合が、重量比で、繊維成分１００部に対して４０〜３００部の範囲である請求項１に記載の浴用タオル。
【発明の詳細な説明】
【０００１】
【発明の属する技術分野】
本発明は、石鹸、ボディシャンプー等（以下、洗剤という）をつけて身体を洗うのに適した浴用タオルに関する。
【０００２】
【従来の技術】
一般に、この種浴用タオルとして、綿やナイロンの織物タオルに代わって、厚さ５ｍｍ〜２０ｍｍの乾式不織布タオルが用いられている。この従来の乾式不織布タオルは、織物タオルと比較して、発泡性・泡切れ性が良好で、また肌への刺激性にも優れているが、肌に良い影響を与える成分を含有していなかった。
【０００３】
最近、炭の様々の効能が注目され、炭粉末を用いた製品が多く販売されているが、炭粉末を含有した浴用タオルはなかった。浴用タオル以外の例として、肌洗浄用シート材がある（特許文献１）。
【０００４】
【特許文献１】
特開２０００−２５６１８０号公報（第２頁第１欄第４０行−第２欄第４６行）
【０００５】
特許文献１には、不織布などの柔軟性に富んだシート素材に平均粒径約５０μｍ以下の木炭の微粉末（好ましくは備長炭粉又は竹炭粉）を水溶性バインダー（水溶性アクリルエマルジョン）で以て付着し、このシート素材に水を含浸させて人の肌に擦り付けたときに木炭粉の一部が該シート素材から剥離して肌に（好ましくは薄墨状に）転移するようにして成る肌洗浄用シート材が記載されている。
【０００６】
しかし、炭粉末を水溶性バインダーに混合した懸濁液を用いて乾式不織布に加工した場合、水溶性バインダーが炭の内部まで浸入、吸着して、炭のマクロポアを含め全表面が水溶性バインダーで閉塞、被覆される。よって、このような乾式不織布は、水溶性バインダーの剥離に伴って炭のミネラル成分が溶出するにすぎないだけでなく、炭の作用・効果が十分に発揮されない。また、浴用タオルのように身体に強く擦すると、炭粉末が繊維から簡単に脱落して、炭の作用・効果が長期間持続できない。
【０００７】
【発明が解決しようとする課題】
そこで、本発明は、乾式不織布の長所を生かすと共に、その構成繊維に炭粉末を、炭のマクロポアを閉塞することなく固着して、炭のミネラル成分を徐々に溶出可能にして、その作用・効果を長期間持続して使用可能な浴用タオルを提供することを課題とする。
【０００８】
【課題を解決するための手段】
本発明の浴用タオルは、見掛け密度０．０２〜０．１０ｇ／ｃｍ３  の乾式不織布からなる浴用タオルであって、その構成繊維に、多数の微細孔を具えた合成樹脂で以て炭粉末を固着して成る（請求項１）。
【０００９】
この手段によれば、見掛け密度を一定の範囲に調整したから、乾式不織布の長所である発泡性・泡切れ性・肌への刺激性が十分に発揮され、また炭粉末が多数の微細孔を有する合成樹脂で以て確実に固着されているから、炭のミネラル成分が合成樹脂の微細孔から徐々に溶出され、身体を強く擦っても使用中に容易に脱落せず、その作用・効果が長期間持続される。
【００１０】
本発明において、炭粉末の割合は、重量比で、合成樹脂１００部に対して５〜１００部の範囲である構成（請求項２）が好適である。というのは、炭粉末の割合が重量比で５部未満になると炭の効果が少なくなり、１００部を越えると合成樹脂による固着力が低下して、炭粉末が使用中に頻繁に脱落する傾向になり好ましくないからである。
【００１１】
また、乾式不織布おける炭粉末と合成樹脂の割合は、タオルとしての強度・風合・触感を考慮すると、重量比で、繊維成分１００部に対して４０〜３００部の範囲にした構成（請求項３）にすると好適である。
【００１２】
【発明の実施の形態】
次に、本発明の実施の形態を図面に基づいて説明する。
【００１３】
図１において、浴用タオルＴは、乾式不織布の構成繊維１の表面及び交絡箇所に、多数の微細孔ａを具えた合成樹脂２で以て、炭のマクロポアｂを閉塞することなく炭粉末３を固着して成る。
上記浴用タオルＴは、見掛け密度０．０２〜０．１０ｇ／ｃｍ３  の範囲に調整して成る。また、厚みは、特に限定されるものではないが、通常３〜１０ｍｍ程度の範囲であれば実用的である。
【００１４】
上記構成において、構成繊維１としては、ジュート、ケナフ、綿等の植物質繊維、ナイロン、ポリエステル等の合成繊維を適宜選択して用いることができるが、柔軟性と強度を具えたナイロン、ポリエステル等の合成繊維が好ましい。
【００１５】
また、主構成繊維の種類や繊維径を変えることにより、肌への刺激性の程度を調整することができる。すなわち、主構成繊維を、繊維径６ｄｔｅｘ程度のナイロン繊維で構成すると綿織物タオルに近いソフトな触感を出すことができ、また繊維径２０ｄｔｅｘ程度のポリエステル繊維で構成すると肌への刺激性を強くすることができる。
【００１６】
また、合成樹脂２は、アクリル樹脂、ＳＢＲ樹脂、ＳＥＢＳ系樹脂等の溶剤に可溶な樹脂を用い、乾式不織布の乾燥工程における溶剤の蒸発によって、多数の微細孔ａを形成することができる。
【００１７】
さらに、炭粉末３は、備長炭、竹炭、活性炭等の粉末や椰子殻、水草、葦等の植物由来の加熱分解多孔質粉末の中から適宜選択して用いることができる。
【００１８】
合成樹脂２と炭粉末３との割合は、重量比で、合成樹脂１００部に対して炭粉末５〜１００部の範囲、好ましくは４０〜１００部の範囲に調整すると炭の作用・効果を十分に発揮することができる。
【００１９】
また、浴用タオル１における繊維成分と、合成樹脂２と炭粉末３の固着成分との割合は、重量比で、繊維成分１００部に対して固着成分４０〜３００部の範囲、好ましくは１００〜２００部の範囲に調整するのが好ましい。というのは、固着成分が４０部未満になるとタオルの引張強さが１ｋｇ／ｃｍ２  以下となって実用上問題が生じ、また３００部を越えるとタオルとしての風合・触感が悪くなるからである。
【００２０】
ところで、乾式不織布のウェブの接着法としては、接着剤使用のケミカルボンドや機械的手段としてニードルパンチ等を採用することができる。
【００２１】
【実施例】
次に、浴用タオルの実施例を説明するが、本発明はこの実施例に限定されるものではない。
【００２２】
ナイロン繊維１３ｄｔｅｘ、３８ｍｍをランドウェバーにかけて、目付１３０ｇ／ｍ２  、厚さ１０ｍｍの繊維ウェッブを形成した。次に、上記繊維ウェブの両面に、アクリル樹脂１００％、濃度２０％のエマルジョン調合液をスプレー散布して、上がり目付１７０ｇ／ｍ２  、厚さ１０ｍｍの不織布を形成した。続いて、上記不織布を下記配合条件に調整した調合液に浸漬加工した後、所定の乾燥条件（１５０℃×３０分間）にて乾燥して、上がり目付４００ｇ／ｍ２  、厚さ９ｍｍ、見掛け密度０．０４４ｇ／ｃｍ３  の浴用タオルを作製した。
【００２３】
2004148029.tif 000003
ここで、ＤＰＵとはｄｒｙ  ｐｉｃｋ  ｕｐの略で乾燥付着率を意味し、ＷＰＵとはｗｅｔ  ｐｉｃｋ  ｕｐの略で調合液付着率を意味する。
【００２４】
【発明の効果】
本発明に係る浴用タオルによれば、発泡性、泡切れ性、肌への刺激性が優れた乾式不織布の構成繊維に、炭粉末が多数の微細孔を有する合成樹脂で以て、炭のマクロポアが閉塞されずに固着されているから、炭のミネラル成分が合成樹脂の微細孔から長期間にわたって徐々に溶出され、このミネラル成分によって肌の美白、保湿等の作用・効果を奏することができる。
また、通常の洗剤以外のアロエ、炭、塩等の各種成分を含有した洗剤と併用すると、最表面部の脱落した炭粉末の微小な窪みに、洗剤の各種成分が保持されて、肌により一層良好な影響を与えることができる。
【図面の簡単な説明】
【図１】本発明の実施の形態を示す概略説明図である。
【図２】本発明の実施の形態を示す模式断面図である。
【符号の説明】
１・・・構成繊維
２・・・炭粉末
３・・・合成樹脂
Ｔ・・・浴用タオル
ａ・・・微細孔
ｂ・・・マクロポア
【図１】
2004148029.tif 000004
【図２】
2004148029.tif 000005